(57)【要約】【課題】ホッパの自動操作を実現することができる道路舗装機械を提供する。【解決手段】道路舗装機械１は、アスファルト合材を収容するホッパ２と、アスファルト合材を敷き均すスクリード６側に送り出すコンベヤ１１と、ホッパ２を駆動させるホッパ駆動部９と、コンベヤ１１上のアスファルト合材の残量を検出するコンベヤ残量検出部１０と、ホッパ２内のアスファルト合材の残量を検出するホッパ残量検出部１３と、コンベヤ残量検出部１０及びホッパ残量検出部１３によって検出された残量に応じて、ホッパ駆動部を制御する制御部とを備える。【選択図】図４
2020139372.tif 000002
【特許請求の範囲】
【請求項１】
アスファルト合材を敷き均す道路舗装機械であって、
前記アスファルト合材を収容するホッパと、
前記ホッパ内の前記アスファルト合材を、前記アスファルト合材を敷き均すスクリード側に送り出すコンベヤと、
前記ホッパを駆動させるホッパ駆動部と、
前記コンベヤ上の前記アスファルト合材の残量を検出するコンベヤ残量検出部と、
前記コンベヤ残量検出部によって検出された残量に応じて、前記ホッパ駆動部を制御する制御部とを備えることを特徴とする、道路舗装機械。
【請求項２】
前記ホッパ内の前記アスファルト合材の残量を検出するホッパ残量検出部をさらに備え、
前記制御部は、前記ホッパ残量検出部によって検出された残量に応じて、前記ホッパ駆動部を制御することを特徴とする、請求項１に記載の道路舗装機械。
【請求項３】
前記制御部は、前記ホッパ残量検出部によって、前記ホッパ内の前記アスファルト合材の残量が無いと判断された場合、ホッパの自動制御を停止することを特徴とする、請求項２に記載の道路舗装機械。
【請求項４】
前記制御部は、前記ホッパ残量検出部によって、前記ホッパ内の前記アスファルト合材の残量が無いと判断された場合、オペレータに、その旨を通知することを特徴とする、請求項２又は３に記載の道路舗装機械。
【請求項５】
前記コンベヤ残量検出部は、超音波センサ、熱感知センサ、又は画像処理装置であることを特徴とする、請求項１〜４のいずれかに記載の道路舗装機械。
【請求項６】
前記ホッパ残量検出部は、圧力センサ、角度センサ、又は前記ホッパ駆動部の駆動回数のカウンタであることを特徴とする、請求項１〜５のいずれかに記載の道路舗装機械。
【請求項７】
前記コンベヤ残量検出部は、前記コンベヤを駆動させるためのコンベヤ駆動装置の駆動量を積算することで、前記アスファルト合材の残量を検出することを特徴とする、請求項１〜４のいずれかに記載の道路舗装機械。
【請求項８】
前記制御部は、前記コンベヤ残量検出部によって、前記コンベヤ駆動装置の駆動量の積算値が所定の値に達したとき、前記ホッパ駆動部を制御して、前記アスファルト合材を前記コンベヤに載積させることを特徴とする、請求項７に記載の道路舗装機械。
【請求項９】
前記制御部は、所定の条件に達したら、前記コンベヤ駆動装置の駆動量の積算値をリセットすることと特徴とする、請求項８に記載の道路舗装機械。
【請求項１０】
アスファルト合材を敷き均す道路舗装機械におけるホッパを駆動させるためのホッパ駆動部の動作を制御するホッパ制御装置であって、
前記ホッパ内のコンベヤ上の前記アスファルト合材の残量を検出するコンベヤ残量検出部と、
前記コンベヤ残量検出部によって検出された残量に応じて、前記ホッパ駆動部を制御する制御部とを備えることを特徴とする、ホッパ制御装置。
【請求項１１】
前記ホッパ内の前記アスファルト合材の残量を検出するホッパ残量検出部をさらに備え、
前記制御部は、前記ホッパ残量検出部によって検出された残量に応じて、前記ホッパ駆動部を制御することを特徴とする、請求項１０に記載のホッパ制御装置。
【発明の詳細な説明】
【技術分野】
【０００１】
本発明は、アスファルト合材を敷き均す道路舗装機械に関し、より特定的には、アスファルト合材の残量を検出することが可能な道路舗装機械及びそれに用いられるホッパ制御装置である。
【背景技術】
【０００２】
特許文献１に記載の道路舗装機械は、ホッパ内部のアスファルト合材を含めた熱画像を撮像する熱画像撮像手段を備えており、当該熱画像の高温領域と当該高温領域よりも温度が低い低温領域を抽出して、高温領域と低温領域との境界線を含む表示画像を生成し、当該表示画像を表示することができる。また、特許文献１に記載の道路舗装機械は、高温領域の面積を演算して、当該面積が所定閾値より小さい場合に通知を行うことができる。これにより、特許文献１に記載の道路舗装機械は、ホッパ部内のアスファルト合材の残量を高温領域と低温領域の境界線により明確に運転者に対して表示することができためオペレータは正確に残量を監視することができる。
【先行技術文献】
【特許文献】
【０００３】
【特許文献１】特開２０１４−１９８９６８号公報
【発明の概要】
【発明が解決しようとする課題】
【０００４】
特許文献１に記載の道路舗装機械においては、オペレータは、アスファルト合材の残量を把握することができ、残量が少なくなってくれば、通知を受けることができるに過ぎない。
【０００５】
実際の施工現場においては、アスファルト合材の残量が少なくなってきた場合、アスファルト合材を積んでいるホッパを上げるように操作して、アスファルト合材をホッパ内のコンベア（「バーフィーダ」ともいう。以下同様）に載せなければならない。このホッパの操作は、舗装の厚みの保持や施工時間に関わるものであり、重要でかつ熟練を要する操作である。
【０００６】
ところが、特許文献１に記載の道路舗装機械では、残量をオペレータに伝えることができるに過ぎず、ホッパの操作は、オペレータに委ねられており、道路舗装機械の操作の容易性という観点からは、不十分である。
【０００７】
それゆえ、本発明は、ホッパの自動操作を実現することができる道路舗装機械及びそれに用いられるホッパ制御装置を提供することを目的とする。
【課題を解決するための手段】
【０００８】
上記課題を解決するために、本発明は、以下のような特徴を有する。本発明は、アスファルト合材を敷き均す道路舗装機械であって、アスファルト合材を収容するホッパと、ホッパ内のアスファルト合材を、アスファルト合材を敷き均すスクリード側に送り出すコンベヤと、ホッパを駆動させるホッパ駆動部と、コンベヤ上のアスファルト合材の残量を検出するコンベヤ残量検出部と、コンベヤ残量検出部によって検出された残量に応じて、ホッパ駆動部を制御する制御部とを備える。
【０００９】
さらに、道路舗装機械は、ホッパ内のアスファルト合材の残量を検出するホッパ残量検出部を備える。制御部は、ホッパ残量検出部によって検出された残量に応じて、ホッパ駆動部を制御する。
【００１０】
制御部は、ホッパ残量検出部によって、ホッパ内のアスファルト合材の残量が無いと判断された場合、ホッパの自動制御を停止する。
【００１１】
制御部は、ホッパ残量検出部によって、ホッパ内のアスファルト合材の残量が無いと判断された場合、オペレータに、その旨を通知する。
【００１２】
たとえば、コンベヤ残量検出部は、超音波センサ、熱感知センサ、又は画像処理装置である。
【００１３】
たとえば、ホッパ残量検出部は、圧力センサ、角度センサ、又はホッパ駆動部の駆動回数のカウンタである。
【００１４】
コンベヤ残量検出部は、コンベヤを駆動させるためのコンベヤ駆動装置の駆動量を積算することで、アスファルト合材の残量を検出する。
【００１５】
制御部は、コンベヤ残量検出部によって、コンベヤ駆動装置の駆動量の積算値が所定の値に達したとき、ホッパ駆動部を制御して、アスファルト合材をコンベヤに載積させる。
【００１６】
制御部は、所定の条件に達したら、コンベヤ駆動装置の駆動量の積算値をリセットする。
【００１７】
また、本発明は、アスファルト合材を敷き均す道路舗装機械におけるホッパを駆動させるためのホッパ駆動部の動作を制御するホッパ制御装置であって、ホッパ内のコンベヤ上のアスファルト合材の残量を検出するコンベヤ残量検出部と、コンベヤ残量検出部によって検出された残量に応じて、ホッパ駆動部を制御する制御部とを備える。
【００１８】
さらに、ホッパ制御装置は、ホッパ内のアスファルト合材の残量を検出するホッパ残量検出部を備える。制御部は、ホッパ残量検出部によって検出された残量に応じて、ホッパ駆動部を制御する。
【００１９】
本発明のホッパ制御装置は、最初からの道路舗装機械に具備されていてもよいし、既存の道路舗装機械を改造して、後から、取り付けられてもよい。
【発明の効果】
【００２０】
本発明によれば、制御部は、コンベヤ残量検出部によって検出された残量に応じて、ホッパ駆動部を制御することができるので、ホッパが自動操作されることとなる。コンベヤ上のアスファルト合材の残量が減ってきたら、制御部がホッパを制御することで、コンベヤ上に、再び、アスファルト合材が載せられることとなる。これにより、ホッパが自動的に、コンベヤにアスファルト合材を載せていくことが可能となるので、ホッパの操作が容易となる。結果、オペレータの負担が軽減され、操作が容易な道路舗装機械が提供されることとなる。
【００２１】
さらに、制御部は、ホッパ残量検出部によって検出された残量に応じて、ホッパ駆動部を制御するので、ホッパが自動操作されることとなる。ホッパ内に、アスファルト合材が残っていたら、制御部によって、ホッパを制御して、残りのアスファルト合材を、コンベヤ上に送ることが可能となる。すなわち、最後まで、アスファルト合材がホッパ内に残らないように、ホッパが制御されることとなる。
【００２２】
加えて、制御部は、ホッパ残量検出部によって、ホッパ内のアスファルト合材の残量が無いと判断された場合、ホッパの自動制御を停止するので、不必要に、ホッパを制御することが防止される。
【００２３】
ホッパ内のアスファルト合材の残量が無いと判断された場合、オペレータに、制御部が通知することで、オペレータは、いち早く、アスファルト合材を追加供給することができることとなる。結果、綺麗な舗装が実現できる。
【００２４】
コンベヤ残量検出部として、超音波センサ、熱感知センサ、又は画像処理装置を用いることで、確実に、コンベヤ上の残量を検出することが可能となる。
【００２５】
ホッパ残量検出部として、圧力センサ、角度センサ、又はホッパ駆動部の駆動回数のカウンタを用いることで、確実に、ホッパ内の残量を検出することが可能となる。
【００２６】
コンベヤ残量検出部が、コンベヤを駆動させるためのコンベヤ駆動装置の駆動量を積算することで、アスファルト合材の残量を検出することで、カメラやセンサ等の追加の構成を設けることなく、また、画像処理などの複雑な処理を行うことなく、残量の検出及びホッパの自動制御が可能となる。結果、コストアップを出来る限り抑えて、ホッパの自動制御を実現できる。
【００２７】
本発明のホッパ制御装置を用いれば、上記と同様の効果が得られる道路舗装機械を提供することが可能である。
【００２８】
本発明のこれら、及び他の目的、特徴、局面、効果は、添付図面と照合して、以下の詳細な説明から一層明らかになるであろう。
【図面の簡単な説明】
【００２９】
【図１】図１は、本発明の一実施形態における道路舗装機械１の正面図である。
【図２】図２は、本発明の一実施形態における道路舗装機械１の平面図である。
【図３】図３は、本発明の一実施形態における道路舗装機械１の左側面図である。
【図４】図４は、本発明の一実施形態におけるホッパ制御装置１２の機能的構成を示すブロック図である。
【図５】図５は、ホッパ制御装置１２における動作及びオペレータの操作内容を示すフローチャートである。
【発明を実施するための形態】
【００３０】
図１ないし図３において、本発明の一実施形態における道路舗装機械１は、ホッパ２と、前輪３と、後輪４と、スクリュー５と、スクリード６と、運転席７と、スクリードステップ８と、ホッパ駆動部９と、コンベヤ残量検出部１０と、コンベヤ１１とを備える。
【００３１】
道路舗装機械１は、ホッパ２に積載されたアスファルト合材を、コンベヤ１１を回転させることで、後輪４側に送り出し、送り出されたアスファルト合材を、スクリュー５で左右に広げて、スクリード６によって、敷き均していく装置である。道路舗装機械は、アスファルトフィニッシャとも呼ばれる。
【００３２】
一人又は二人のオペレータによって、道路舗装機械１は操作されるが、オペレータは、運転席７及び／又はスクリードステップ８に乗った状態で、道路舗装機械１の前進（図１の左側に進む方向）、スクリード６の操作、ホッパ２の残量の確認、ホッパ駆動部９の操作などを行う必要がある。
【００３３】
ホッパ駆動部２は、油圧シリンダなどである。ホッパ駆動部２は、左右のホッパ２の側面にそれぞれ設けられている。ホッパ２は、ホッパ駆動部２を伸縮させることで、図３に示した矢印Ｘのように、ある支点を中心に、上下に傾斜するように駆動させることができる。なお、２つのホッパ駆動部２は、それぞれが独立して駆動するようになっていてもよいし、同時に駆動するようになっていてもよい。
【００３４】
図２に示すように、ホッパ２の底部には、コンベヤ１１が設けられている。コンベヤ１１の左右に配置されたホッパ２が傾斜することで、ホッパ２に積載されたアスファルト合材が、コンベヤ１１の上に載せられることとなる。
【００３５】
なお、ここで示したホッパ２、ホッパ駆動部９、及びコンベヤ１１の構造や配置は、あくまでも一例に過ぎず、本発明を限定するものではない。たとえば、ホッパ２は、コンベヤ１１の前側（図１の左側）に一つ配置されており、ホッパ駆動部９がホッパ２を上下に傾斜させることで、コンベヤ１１にアスファルト合材が送り出されてもよい。また、ホッパ駆動部９は、油圧シリンダに限定されるものではなく、ホッパ２を駆動させることができるものであれば、周知のあらゆる装置及び機構を用いることが可能である。
【００３６】
コンベヤ残量検出１０は、ホッパ２内のコンベヤ１１上の残量を検出することができる位置に取り付けられている。図示した例では、ホッパ２の後輪４側の端部の上方に、コンベヤ残量検出１０が、コンベヤ１１の方向を向くように斜め下に向けて取り付けられている。ただし、コンベヤ残量検出１０の取り付け位置は、一例に過ぎず、本発明を限定するものではない。
【００３７】
図４に示すように、ホッパ制御装置１２は、ホッパ駆動部９と、コンベヤ残量検出部１０と、ホッパ残量検出部１３と、ホッパ角度検出部１４と、操作部１５と、制御部１６とを備える。ホッパ制御装置１２は、道路舗装機械内に設けられている。
【００３８】
図４におけるホッパ駆動部９は、先に上述したホッパ駆動部９と同様である。
【００３９】
コンベヤ残量検出部１０は、コンベヤ１１上のアスファルト合材の残量を検出することができる。たとえば、コンベヤ残量検出部１０は、超音波センサや熱感知センサによって、コンベヤ１１上にアスファルト合材が存在するか否かを検出することで、その残量の有無を検出することができる。また、コンベヤ残量検出部１０は、カメラと画像処理装置とからなり、カメラで撮像したコンベヤ１１上の画像を認識することで、コンベヤ１１にアスファルト合材が載っているか否かを検出することができるものとする。その他、コンベヤ残量検出部１０としては、コンベヤ１１上のアスファルト合材の残量を検出することができるあらゆる手段を用いることができる。
【００４０】
ホッパ残量検出部１３は、ホッパ内のアスファルト合材の残量を検出することができる。たとえば、ホッパ残量検出部１３は、圧力センサによって、ホッパ２内にアスファルト合材が載置されているか否かを検出することができる。また、ホッパ残量検出部１３として、ホッパ２の傾斜角度を検出することができる角度センサを用いてもよく、その場合、角度センサによる傾斜角度によって、アスファルト合材が残らない角度までホッパ２が傾斜したか否かを判断することで、ホッパ残量検出部１３は、ホッパ２内にアスファルト合材が残っているか否かを検出してもよい。また、ホッパ残量検出部１３として、ホッパ駆動部９の駆動回数をカウントするカウンタが用いられてもよく、その場合、カウンタのカウント回数によって、ホッパ２が何回角度を上昇させたかを認識することによって、アスファルト合材が残らない角度までホッパ２が傾斜したか否かを判断することで、ホッパ残量検出部１３は、ホッパ２内にアスファルト合材が残っているか否かを検出してもよい。その他、ホッパ残量検出部１３として、ホッパ２内のアスファルト合材の残量を検出することができるあらゆる手段を用いることができる。
【００４１】
ホッパ角度検出部１４は、ホッパ２の傾斜角度を検出することができる角度センサである。制御部１６は、ホッパ角度検出部１４よる検出結果に基づいて、ホッパ２の傾斜角度を制御する。
【００４２】
ただし、ホッパ２の傾斜角度を制御するための構成として、ホッパ角度検出部１４は必須ではない。たとえば、制御部１６は、ホッパ駆動部９を駆動させている時間をカウントすることで、ホッパ２の傾斜角度を間接的に把握して、ホッパ２の傾斜角度を制御するようにしてもよい。その他、あらゆる手段を用いて、制御部１６は、ホッパ２の傾斜角度を制御することができる。
【００４３】
操作部１５は、自動制御と手動操作との切り替えスイッチや、ホッパ駆動部９を上下させるためのスイッチ、ホッパ駆動部９を停止させるためのスイッチなどを有している。ただし、スイッチの構成は、本発明を限定するものではない。
【００４４】
制御部１６は、コンベヤ残量検出部１０によって検出された残量に応じて、ホッパ駆動部９を制御する。また、制御部１６は、ホッパ残量検出部１３によって検出された残量に応じて、ホッパ駆動部９を制御する。
【００４５】
以下、制御部１６による具体的な制御の一例を、図５を参照しながら説明する。ただし、図５に示した動作例は、あくまでも一例に過ぎず、本発明を限定するものではない。
【００４６】
まず、オペレータによって、操作部１５を用いて、ホッパの自動制御がオンにされたとする（Ｓ１０１）。自動制御がオンにされると、制御部１６は、コンベヤ残量検出部１０によって、検出されたコンベヤ１１上のアスファルト合材の残量を検出する（Ｓ１０２）。
【００４７】
制御部１６は、コンベヤ１１上のアスファルト合材の残量が有るか否かを判断する（Ｓ１０３）。残量がある場合、制御部１６は、ホッパ駆動部９を駆動させずに、そのまま、コンベヤ１１上の残量の検出を続ける（Ｓ１０２）。一方、残量がない場合、制御部１６は、ホッパ駆動部９を駆動させる（Ｓ１０４）。
【００４８】
Ｓ１０４において、制御部１６は、ホッパ角度検出部１４によるホッパ２の検出角度を認識しながら、ホッパ駆動部９を駆動させて、ホッパ２の傾斜角度を上昇させる。また、ホッパ角度検出部１４を用いない場合、制御部１６は、所定の時間、ホッパ駆動部９を駆動させて、ホッパ２の傾斜角度を上昇させる。典型的には、ホッパ２は、一度に、上昇させるのではなく、何回かに分けて、次第に上昇するように、制御される。ただし、ホッパ駆動部９の制御方法は、本発明を限定するものではない。たとえば、ホッパ２が一回の駆動時において何度か上下するように、ホッパ駆動部９が制御されてもよい。
【００４９】
Ｓ１０４の後、制御部１６は、コンベヤ１１上のアスファルト合材の残量が有るか否かを判断する（Ｓ１０５）。残量がある場合、制御部１６は、ホッパ駆動部９を駆動させずに、そのまま、コンベヤ１１上の残量の検出を続ける（Ｓ１０２）。一方、残量がない場合、制御部１６は、Ｓ１０６の動作に進む。
【００５０】
Ｓ１０６の動作に進んだ段階において、既に、Ｓ１０４で、ホッパ２は、典型的には、何回か駆動されている。それにも関わらず、コンベヤ１１上にアスファルト合材を確認することができないということは、ホッパ２内のアスファルト合材の残量が残り少ないことを意味する。したがって、制御部１６は、ホッパ残量検出部１３を用いて、ホッパ２内にアスファルト合材が残っているか否かを検出する（Ｓ１０６）。まだ、アスファルト合材が残っているのであれば、制御部１６は、再び、Ｓ１０４の動作に戻って、ホッパ駆動部９を駆動させて、ホッパ２を上昇させる。これによって、ホッパ２内のアスファルト合材を出来る限り使い切ることができる。
【００５１】
一方、Ｓ１０６において、ホッパ２内にアスファルト合材が残っていないと判断した場合、制御部１６は、残量が無くなった旨をオペレータに通知し、ホッパの自動制御をオフにする（Ｓ１０７）。制御部１６は、Ｓ１０７での通知を、図示ない音声出力部や表示部によって行う。
【００５２】
その後、オペレータが手動でホッパ２を下降させて（Ｓ１０８）、ホッパ２にアスファルト合材を供給させて（Ｓ１０９）、再度、ホッパ２の自動制御をオンにする（Ｓ１１０）。
【００５３】
このように、本実施形態によれば、制御部１６は、コンベヤ残量検出部１０によって検出された残量に応じて、ホッパ駆動部９を制御することができるので、ホッパ２が自動操作されることとなる。コンベヤ１１上のアスファルト合材の残量が減ってきたら、制御部１６がホッパを制御することで、コンベヤ１１上に、再び、アスファルト合材が載せられることとなる。これにより、ホッパ２が自動的に、コンベヤ１１にアスファルト合材を載せていくことが可能となるので、ホッパ２の操作が容易となる。
【００５４】
さらに、制御部１６は、ホッパ残量検出部１３によって検出された残量に応じて、ホッパ駆動部９を制御するので、ホッパ２が自動操作されることとなる。ホッパ２内に、アスファルト合材が残っていたら、制御部１６によって、ホッパ２を制御して、残りのアスファルト合材を、コンベヤ１１上に送ることが可能となる。すなわち、最後まで、アスファルト合材がホッパ２内に残らないように、ホッパ２が制御されることとなる。
【００５５】
なお、コンベヤ残量検出部１０があれば、少なくとも、ホッパ２の自動制御は可能となるので、ホッパ残量検出部１３は、必須ではない。すなわち、ホッパ２の残量は、操作者が目視で確認して、行われるものであってもよい。
【００５６】
制御部１６は、ホッパ残量検出部１３によって、ホッパ２内のアスファルト合材の残量が無いと判断された場合、ホッパ２の自動制御を停止するので、不必要に、ホッパ２を制御することが防止される。
【００５７】
また、ホッパ２内のアスファルト合材の残量が無いと判断された場合、オペレータに、制御部１６が通知することで、オペレータは、いち早く、アスファルト合材を追加供給することができることとなる。
【００５８】
コンベヤ残量検出部１０として、超音波センサ、熱感知センサ、又は画像処理装置を用いることで、確実に、コンベヤ上の残量を検出することが可能となる。
【００５９】
ホッパ残量検出部１３として、圧力センサ、角度センサ、又はホッパ駆動部の駆動回数のカウンタを用いることで、確実に、ホッパ内の残量を検出することが可能となる。
【００６０】
上記実施形態においては、コンベヤ残量検出部１０として、カメラやセンサ、画像処理装置などを追加することを想定しているが、カメラなどの追加の装置を設けなくても、コンベヤの残量を検出することが可能であり、本発明には、そのような構成も含まれる。
【００６１】
たとえば、コンベヤ残量検出部１０は、コンベヤ１１を駆動させるための図示しないコンベヤ駆動装置の駆動量（たとえば、回転数）を積算するものとしてもよい。そのようなコンベヤ残量検出部１０は、コンベヤ駆動装置からの信号を受信すればよいだけであるから、電気回路として実現することも可能であるし、また、制御部１６において実行されるプログラムの一部として実現することも可能である。
【００６２】
駆動量の積算値が、どの程度かを検出することで、アスファルト合材の残量を検出することが可能である。コンベヤ１１に載積されるアスファルト合材の量には限りがあるため、コンベヤ１１がどの程度駆動したかを認識すれば、アスファルト合材の残量が分かる。
【００６３】
そして、制御部１６は、コンベヤ残量検出部１０によって、コンベヤ駆動装置の駆動量の積算値が所定の値に達したとき、ホッパ駆動部９を上昇させるなどして制御して、アスファルト合材をコンベヤ１１に載積させる。それにより、コンベヤ１１に再び、アスファルト合材が積載されることとなる。この動作を、積算量の所定の値毎に制御部１６が繰り返すことで、コンベヤ残量検出部１０として、カメラ等の別途の構成を追加しなくても、ホッパ２の自動制御が可能となる。なお、積算量の所定の値は、一つの固定的な値に限定されるものではなく、繰り返しの回数などに応じた複数の値であってもよい。なぜなら、後半の繰り返し動作時には、ホッパ２におけるアスファルト合材の残量が減っている可能性があるので、駆動量の積算値を小さな値として、制御部１６がホッパ２を早めに動かした方が良い場合があるからである。
【００６４】
このような繰り返し動作の後、所定の条件に達したら、ホッパ駆動部９は、コンベヤ駆動装置の駆動量の積算値をリセットする。所定の条件としては、たとえば、ホッパ２の駆動毎であってもよし、ホッパ２内のアスファルト合材の残量が無くなくなったことでもよい。
【００６５】
たとえば、ホッパ２内のアスファルト合材の残量が無くなくなった場合を所定の条件とした場合、ホッパ残量検出部１３による自動検出で、制御部１６は、コンベヤ駆動装置の駆動量の積算値をリセットする。
【００６６】
もしくは、操作者が、ホッパ２の残量を確認する場合、手動で、ホッパ２は、上限まで上昇された後、下限まで下降されて、所定の時間が経過していることとなる。制御部は、このホッパ２の上限から下限までの移動及び下限での所定の時間の経過を条件として、コンベヤ駆動装置の駆動量の積算値をリセットする。
【００６７】
このように、本発明には、コンベヤ残量検出部１０として、カメラ等の装置を追加せずに実現される構成も含まれる。カメラ等の追加がなければ、コストアップを出来る限り抑えつつ、ホッパ２の自動制御が可能となる。
【００６８】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００６９】
本発明は、道路舗装機械及びそれに用いられるホッパ制御装置であり、産業上利用可能である。
【符号の説明】
【００７０】
１  道路舗装機械
２  ホッパ
３  前輪
４  後輪
５  スクリュー
６  スクリード
７  運転席
８  スクリードステップ
９  ホッパ駆動部
１０  コンベヤ残量検出部
１１  コンベヤ
１２  ホッパ制御部
１３  ホッパ残量検出部
１４  ホッパ角度検出部
１５  操作部
１６  制御部
【図１】
2020139372.tif 000003
【図２】
2020139372.tif 000004
【図３】
2020139372.tif 000005
【図４】
2020139372.tif 000006
【図５】
2020139372.tif 000007